(57)【要約】      （修正有）【課題】１Ｈ反転駆動を採用したアクティブマトリクス型液晶表示装置における、信号ライン−走査ライン間、信号ライン−コモンライン間のカップリングに伴う、走査ラインおよびコモンラインの電位の揺れに起因するウィンドウ帯の発生を抑制する。【解決手段】走査ライン１５−１〜１５−ｍおよびコモンライン１７−１〜１７−ｍに交差して補助ライン４１，４２を配線し、信号ライン１６−１〜１６−ｎにブラック電位を書き込む際に、当該ブラック電位と逆極性でかつ同電位の補正信号Ｖｃを、ブラック電位の書き込みタイミングと同じタイミングで補助ライン４１，４２に書き込むことで、ブラック電位に基づく走査ライン１５−１〜１５−ｍおよびコモンライン１７−１〜１７−ｍの電位の揺れと、補正信号Ｖｃの電位に基づく走査ライン１５−１〜１５−ｍおよびコモンライン１７−１〜１７−ｍの電位の揺れとを相殺する。【選択図】図４
2005215249.tif 000002
【特許請求の範囲】
【請求項１】
電気光学素子を含む画素が行列状に２次元配置されるとともに、当該画素の行列状配列に対して列単位で信号ラインが、行単位で走査ラインおよびコモンラインがそれぞれ配線されてなる画素アレイ部と、
前記画素アレイ部の画素を前記走査ラインを通して行単位で選択する第１駆動手段と、
前記第１駆動手段によって選択された行の画素に対して前記信号ラインを通して行ごとに逆極性の映像信号を書き込む第２駆動手段と、
前記走査ラインおよび前記コモンラインに対して交差して配線された補助ラインと、
前記信号ラインを通して前記映像信号を書き込む際に、当該映像信号と逆極性でかつ同電位の補正信号を前記補助ラインに書き込む第３駆動手段と
を備えたことを特徴とする表示装置。
【請求項２】
前記映像信号は黒レベルの信号である
ことを特徴とする請求項１記載の表示装置。
【請求項３】
前記補助ラインは、前記画素アレイ部を挟んで当該画素アレイ部の両側に配線されている
ことを特徴とする請求項１記載の表示装置。
【請求項４】
電気光学素子を含む画素が行列状に２次元配置されるとともに、当該画素の行列状配列に対して列単位で信号ラインが、行単位で走査ラインおよびコモンラインがそれぞれ配線されてなる画素アレイ部と、
前記画素アレイ部の画素を前記走査ラインを通して行単位で選択する第１駆動手段と、
前記第１駆動手段によって選択された行の画素に対して前記信号ラインを通して行ごとに逆極性の映像信号を書き込む第２駆動手段と、
前記走査ラインおよび前記コモンラインに対して交差して配線された補助ラインを備えた表示装置の駆動方法であって、
前記信号ラインを通して前記映像信号を書き込む際に、当該映像信号と逆極性でかつ同電位の補正信号を前記補助ラインに書き込む
ことを特徴とする表示装置の駆動方法。
【請求項５】
前記映像信号は黒レベルの信号である
ことを特徴とする請求項４記載の表示装置の駆動方法。
【請求項６】
前記補助ラインは、前記画素アレイ部を挟んで当該画素アレイ部の両側に配線されている
ことを特徴とする請求項４記載の表示装置の駆動方法。
【発明の詳細な説明】
【技術分野】
【０００１】
本発明は、表示装置および表示装置の駆動方法に関し、特に電気光学素子を含む画素が行列状に２次元配置されてなる表示装置および当該表示装置の駆動方法に関する。
【背景技術】
【０００２】
電気光学素子を含む画素が行列状に２次元配置されてなる表示装置、例えば電気光学素子として液晶セルを用い、当該液晶セルを含む画素が行列状に２次元配置され、これら画素の行列状配列に対して行ごとに走査ラインが、列ごとに信号ラインが配線されてなる画素アレイ部と、この画素アレイ部の各画素を行単位で選択する垂直駆動回路と、この垂直駆動回路によって選択された行（以下、「選択行」と記す場合もある）の各画素に映像信号を書き込む水平駆動回路とを有するアクティブマトリクス型液晶表示装置において、点順次駆動方式は、例えばシリアル入力されるアナログ映像信号を１水平走査期間に亘って順次サンプリングし、このサンプリングした映像信号を選択行の画素に、対応する信号ラインを通して順に書き込む方式のものである。
【０００３】
この点順次駆動方式のアクティブマトリクス型液晶表示装置では、高精細化に伴って特に水平方向の画素数が増えると、１系統で入力される映像信号を、限られた水平有効期間内で選択行の全画素について順番にサンプリングするためのサンプリング期間を十分に確保することが難しくなってくる。そこで、サンプリング期間を十分に確保するために、従来から、映像信号をＮ系統（Ｎは２以上の整数）で並列に入力する一方、水平方向のＮ個の画素（ドット）を単位としてＮ個のサンプリングスイッチを設け、１つのサンプリングパルスでＮ個のサンプリングスイッチを同時に駆動することによってＮ画素単位（ユニット（相）単位）で順次書き込みを行うＮドット同時サンプリング駆動方式が採られている（例えば、特許文献１参照）。このＮドット同時サンプリング駆動方式も、点順次駆動方式の概念に含まれるものとする。
【０００４】
【特許文献１】特開２００３−６６９１４号公報
【発明の開示】
【発明が解決しようとする課題】
【０００５】
ところで、画素が行列状に２次元配置された画素アレイ部では、映像信号を画素に書き込むための信号ラインと、画素を行単位で選択するための走査ラインおよび液晶セルの対向電極に所定のコモン電圧Ｖｃｏｍを各画素共通に与えるためのコモンラインとは交差している。この交差部分では、寄生容量によるカップリングパスがある。したがって、例えば黒のウィンドウを表示するために、信号ラインにブラック電位（黒レベル）を書き込んだ際に、当該ブラック電位がそれぞれのカップリングパスを通って走査ラインおよびコモンラインに飛び込む。
【０００６】
このブラック電位の飛び込みにより、走査ラインおよびコモンラインの電位が揺れ、この電位の揺れが再びカップリングパスを通って信号ラインに乗ったり、あるいは、コモンラインの電位の揺れを増大させることになる。その結果、信号ラインの電位の揺れをホールドすることになり、本来の信号ラインの電位をホールドすることができないために、図６に示すように、同時サンプリング数Ｎに対応したドット数分の帯（以下、この帯を「ウィンドウ帯」と呼ぶこととする。）が発生する。
【０００７】
このウィンドウ帯の発生メカニズムをより具体的に説明すると、図７に示すように、映像信号Ｖｓｉｇ、即ちブラック電位の立ち上がりで、信号ライン−走査ライン間、信号ライン−コモンライン間のカップリングに起因して信号ラインに電位の揺れが発生する。この発生した電位の揺れが映像信号Ｖｓｉｇをサンプリングするサンプリングパルスのパルス幅内で収束し切らないと、当該電位の揺れをホールドすることになるため、ウィンドウ帯が発生するのである。
【０００８】
このウィンドウ帯は、
（１）多画素化に伴って走査ラインおよびコモンラインの本数が多くなり、カップリングパルスが増えた場合
（２）液晶パネルの高速駆動化に伴ってサンプリングパルスのパルス幅が狭くなり、電位の揺れが収束する時間よりもサンプリングパルス幅が狭くなった場合
（３）液晶パネルのサイズが大きくなり、信号ライン、走査ライン、コモンラインの配線抵抗や寄生容量が大きくなった場合
などに顕著に現れる。その結果、画質が大きく損なわれる。
【０００９】
ウィンドウ帯を除去するためには、画素アレイ部（液晶パネル）の駆動法として、ドット反転駆動法を用いることが有効である。ここで、ドット反転駆動法とは、液晶パネルで互いに隣り合う画素ごとに画素信号電位の極性を反転させる駆動方法である。図８に、ドット反転駆動法の画素信号電位を示す。図８において、「Ｈ」はコモン電圧Ｖｃｏｍに対して正の画素信号電位を、「Ｌ」はコモン電圧Ｖｃｏｍに対して負の画素信号電位をそれぞれ表している。
【００１０】
図８から明らかなように、ドット反転駆動法では、画素に書き込む電位が隣接する画素同士でＨ，Ｌであるため、隣接する画素列の信号ライン同士にはＨ，Ｌの電位が与えられる。これにより、Ｎドット同時サンプリング駆動方式では、信号ラインからのブラック電位の飛び込みに起因する走査ラインおよびコモンラインの電位の揺れは、それぞれＨ側の揺れとＬ側の揺れとなるため相殺される。したがって、走査ラインおよびコモンラインには電位の揺れが発生しないため、ウィンドウ帯の発生を抑制することができる。
【００１１】
しかし、ドット反転駆動法では、隣接する画素間での逆極性の電位による影響を小さくする必要があることから、画素形状上、開口率が低くならざるを得ない等の問題がある。そのため、例えば投射型液晶表示装置（液晶プロジェクタ装置）では一般的に１Ｈ（ライン）反転駆動法が用いられる。ここで、投射型液晶表示装置とは、液晶パネルを光スイッチング素子として利用し、当該液晶パネル上の光学像を投射光学系によって拡大投影する表示装置である。また、１Ｈ反転駆動法とは、画素信号電位の極性を、コモン電圧Ｖｃｏｍを基準にして１Ｈ（Ｈは水平走査期間）ごとに反転させる駆動方法である。
【００１２】
図９に、１Ｈ反転駆動法の画素信号電位を示す。同図においても、「Ｈ」はコモン電圧Ｖｃｏｍに対して正の画素信号電位を、「Ｌ」はコモン電圧Ｖｃｏｍに対して負の画素信号電位をそれぞれ表している。図９から明らかなように、１Ｈ反転駆動法では、画素に書き込む電位が１行のラインごとに全てＨまたはＬであるため、隣接する画素列の信号ライン同士間において電位の揺れが相殺されずに、どうしてもある一定方向の電位の揺れとして残ってしまう。したがって、１Ｈ反転駆動法を採用したアクティブマトリクス型液晶表示装置では、黒のウィンドウを表示した際に、信号ライン−走査ライン間、信号ライン−コモンライン間のカップリングに起因する信号ラインの電位の揺れに伴ってウィンドウ帯が発生する。
【００１３】
本発明は、上記課題に鑑みてなされたものであって、その目的とするところは、１Ｈ反転駆動を採用した場合でも、信号ライン−走査ライン間、信号ライン−コモンライン間のカップリングに起因するウィンドウ帯の発生を抑制可能な表示装置および当該表示装置の駆動方法を提供することにある。
【課題を解決するための手段】
【００１４】
上記目的を達成するために、本発明では、電気光学素子を含む画素が行列状に２次元配置されるとともに、当該画素の行列状配列に対して列単位で信号ラインが、行単位で走査ラインおよびコモンラインがそれぞれ配線されてなる画素アレイ部と、この画素アレイ部の画素を前記走査ラインを通して行単位で選択する第１駆動手段と、この第１駆動手段によって選択された行の画素に対して前記信号ラインを通して行ごとに逆極性の映像信号を書き込む第２駆動手段とを備えた表示装置において、前記走査ラインおよび前記コモンラインに対して補助ラインを交差して配線し、前記信号ラインを通して前記映像信号を書き込む際に、当該映像信号と逆極性でかつ同電位の補正信号を前記補助ラインに書き込む構成となっている。
【００１５】
１Ｈ反転駆動法を採る上記構成の表示装置において、信号ラインを通して映像信号を書き込んだとき、信号ライン−走査ライン間、信号ライン−コモンライン間のカップリングパスを通って映像信号電位が走査ラインおよびコモンラインに飛び込むことで、走査ラインおよびコモンラインの電位が揺れる。このとき、映像信号の書き込みタイミングと同じタイミングで補正信号を補助ラインに書き込むことで、補助ライン−走査ライン間、補助ライン−コモンライン間のカップリングパスを通って補正信号電位が走査ラインおよびコモンラインに飛び込む。ここで、補正信号は映像信号と逆極性でかつ同電位であるため、走査ラインおよびコモンラインの電位の揺れが相殺される。
【発明の効果】
【００１６】
本発明によれば、信号ラインを通して映像信号を書き込む際に、当該映像信号と逆極性でかつ同電位の補正信号を補助ラインに書き込むことにより、カップリングパスを通しての電位の飛び込みによる走査ラインおよびコモンラインの電位の揺れが相殺されるため、ウィンドウ帯の発生を確実に抑制することができる。
【発明を実施するための最良の形態】
【００１７】
以下、本発明の実施の形態について図面を参照して詳細に説明する。
【００１８】
図１は、本発明の一実施形態に係る表示装置の構成の概略を示すブロック図である。ここでは、画素の電気光学素子として液晶セルを用いた点順次駆動方式のアクティブマトリクス型液晶表示装置を例に挙げて説明するものとする。図１から明らかなように、本実施形態に係るアクティブマトリクス型液晶表示装置は、画素アレイ部１１、例えば２つの垂直駆動回路１２Ａ，１２Ｂ、水平駆動回路１３およびプリチャージ回路１４を有する構成となっている。
【００１９】
画素アレイ部１１は、電気光学素子である液晶セルを含む画素２０が、透明絶縁基板、例えば第１のガラス基板（図示せず）上に行列状に２次元配置され、この画素２０のｍ行ｎ列の配列に対して行ごとに走査ライン１５−１〜１５−ｍが配線され、列ごとに信号ライン１６−１〜１６−ｎが配線された構成となっている。第１のガラス基板は、第２のガラス基板と所定の間隙を持って対向配置され、当該第２のガラス基板との間に液晶材料が封止されることによって液晶パネル１７を構成している。
【００２０】
図２は、画素（画素回路）２０の回路構成の一例を示す回路図である。図２から明らかなように、画素２０は、画素トランジスタ、例えばＴＦＴ(Thin Film Transistor;薄膜トランジスタ)２１と、このＴＦＴ２１のドレイン電極に画素電極が接続された液晶セル２２と、ＴＦＴ２１のドレイン電極に一方の電極が接続された保持容量２３とを有する構成となっている。ここで、液晶セル２２は、画素電極とこれに対向して形成される対向電極との間で発生する液晶容量を意味する。
【００２１】
ＴＦＴ２１はゲート電極が走査ライン１５（１５−１〜１５−ｍ）に接続され、ソース電極が信号ライン１６（１６−１〜１６−ｎ）に接続されている。また、例えば、液晶セル２２の対向電極および保持容量２３の他方の電極がコモンライン１８に対して各画素共通に接続されている。そして、液晶セル２２の対向電極には、コモンライン１８を介してコモン電圧（対向電極電圧）Ｖｃｏｍが各画素共通に与えられる。
【００２２】
垂直駆動回路１２Ａ，１２Ｂ、水平駆動回路１３およびプリチャージ回路１４は、例えば、画素アレイ部１１と同じ基板（液晶パネル１７）上に配置され、液晶の駆動に必要な電圧よりも高い正の電源電位ＶＤＤを第１の電源電位とし、例えば接地電位（０［Ｖ］）ＧＮＤを第２の電源電位として動作する。
【００２３】
２つの垂直駆動回路１２Ａ，１２Ｂは、画素アレイ部１１を挟んで左右両側に配置されている。なお、ここでは、画素アレイ部１１の左右両側に垂直駆動回路１２Ａ，１２Ｂを配置するとしたが、１つの垂直駆動回路１２を画素アレイ部１１の左右の一方側にのみ配置する構成を採ることも可能である。垂直駆動回路１２Ａ，１２Ｂは、シフトレジスタやバッファ回路等によって構成されている。
【００２４】
これら垂直駆動回路１２Ａ，１２Ｂにおいて、各シフトレジスタは、垂直スタートパルスＶＳＴに応答してシフト動作を開始し、当該垂直スタートパルスＶＳＴを垂直クロックパルスＶＣＫ（一般的には、互いに逆相のクロックパルスＶＣＫ，ＶＣＫＸ）に同期して順次シフトすることにより、各転送段で転送された転送パルスを走査パルスＶ１〜Ｖｍとして順に出力する。走査パルスＶ１〜Ｖｍは、バッファ回路１２２−１〜１２２−ｍ，１２４−１〜１２４−ｍを介して画素アレイ部１１の走査ライン１５−１〜１５−ｍに与えられることによって画素２０を行単位で選択する。
【００２５】
水平駆動回路１３は、シフトレジスタ１３１、クロック抜き取り回路１３２−１〜１３２−ｎ、逆相パルス生成回路１３３−１〜１３３−ｎ、位相調整回路（ＡＰＣ；Phase Adjust Circuit）１３４−１〜１３４−ｎおよびサンプリングスイッチ１３５−１〜１３５−ｎ等によって構成されており、垂直駆動回路１２Ａ，１２Ｂによって選択された画素行の各画素２０に対して画素単位で映像信号Ｖｓｉｇを書き込む。水平駆動回路１３には液晶パネル１７の外部から、水平走査の基準となる第１のクロックパルスである互いに逆相の２相の水平クロックパルスｈｃｋ，ｈｃｋｘと、当該水平クロックパルスｈｃｋ，ｈｃｋｘに同期した第２のクロックパルスである例えば２系統のクロックパルス、即ち互いに逆相の２相のクロックパルスｄｃｋ１，ｄｃｋ１ｘおよびクロックパルスｄｃｋ２，ｄｃｋ２ｘとが与えられる。
【００２６】
水平クロックパルスｈｃｋ，ｈｃｋｘは、レベルシフト（Ｌ／Ｓ）回路３１、逆相パルス生成回路３２およびバッファ回路３３を介してシフトレジスタ１３１に供給される。レベルシフト回路３１は、論理レベル（５［Ｖ］程度あるいはそれ以下）の水平クロックパルスｈｃｋ，ｈｃｋｘを、液晶の駆動に必要な振幅電圧の単相のクロックパルスＨＣＫにレベルシフト（レベル変換）する。逆相パルス生成回路３２は、図５に示した逆相パルス生成回路１０３と同様に、インバータの組み合わせによって構成され、レベルシフト後の単相のクロックパルスＨＣＫから、再度互いに逆相の２相の水平クロックパルスＨＣＫ，ＨＣＫＸを生成する。この水平クロックパルスＨＣＫ，ＨＣＫＸは、バッファ回路３３を介してシフトレジスタ１３１に与えられる。
【００２７】
クロックパルスｄｃｋ１，ｄｃｋ１ｘは、水平クロックパルスＨＣＫの立ち上がりタイミングを基準とし、当該水平クロックパルスＨＣＫよりもパルス幅が狭いクロックパルスであり、レベルシフト回路３４およびバッファ回路３５を介してクロック抜き取り回路１３２−１〜１３２−ｎの例えば偶数段目に供給される。レベルシフト回路３４は、論理レベルのクロックパルスｄｃｋ１，ｄｃｋ１ｘを、液晶の駆動に必要な振幅電圧の単相のクロックパルスＤＣＫ１にレベルシフトする。この単相のクロックパルスＤＣＫ１は、バッファ回路３５を介して偶数段目のクロック抜き取り回路１３２−２，１３２−４，……に与えられる。
【００２８】
クロックパルスｄｃｋ２，ｄｃｋ２ｘは、水平クロックパルスＨＣＫＸの立ち上がりタイミングを基準とし、当該水平クロックパルスＨＣＫＸよりもパルス幅が狭いクロックパルスであり、レベルシフト回路３６およびバッファ回路３７を介してクロック抜き取り回路１３２−１〜１３２−ｎの例えば奇数段目に供給される。レベルシフト回路３６は、論理レベルのクロックパルスｄｃｋ２，ｄｃｋ２ｘを、液晶の駆動に必要な振幅電圧の単相のクロックパルスＤＣＫ２にレベルシフトする。この単相のクロックパルスＤＣＫ２は、バッファ回路３７を介して奇数段目のクロック抜き取り回路１３２−１，１３２−３，……に与えられる。
【００２９】
ここで、２相の水平クロックパルスＨＣＫ，ＨＣＫＸと２系統の単相のクロックパルスＤＣＫ１，ＤＣＫ２とを比較した場合、水平クロックパルスＨＣＫ，ＨＣＫＸは、インバータ回路の組み合わせによって構成される逆相パルス生成回路３２において、レベル変換後の単相のクロックパルスＨＣＫから生成されたものであるためタイミング精度が低い（悪い）。これに対して、２系統の単相のクロックパルスＤＣＫ１，ＤＣＫ２の各々は、レベル変換後の単相のクロックパルスＤＣＫ１，ＤＣＫ２そのものであるため、水平クロックパルスＨＣＫ，ＨＣＫＸに比べてタイミング精度が高い。
【００３０】
シフトレジスタ１３１は、単位回路（転送段／シフト段）が画素アレイ部１１の水平画素数ｎだけ縦続接続されてなり、水平スタートパルスＨＳＴに応答してシフト動作を開始し、当該水平スタートパルスＨＳＴを水平クロックパルスＨＣＫ，ＨＣＫＸに同期して順次シフトすることにより、各転送段で転送された転送パルスＨ１〜Ｈｎを順に出力する。転送パルスＨ１〜Ｈｎは、タイミング精度の低い水平クロックパルスＨＣＫ，ＨＣＫＸに同期して生成されたものであるため、水平クロックパルスＨＣＫ，ＨＣＫＸと同様にタイミング精度が低い。これら転送パルスＨ１〜Ｈｎは順次、クロック抜き取り回路１３２−１〜１３２−ｎに与えられる。
【００３１】
クロック抜き取り回路１３２−１〜１３２−ｎにおいて、偶数段目のクロック抜き取り回路１３２−２，１３２−４，……は、シフトレジスタ１３１から順に出力される奇数番目の転送パルスＨ１，Ｈ３，……に同期して、単相のクロックパルスＤＣＫ２を抜き取ってサンプリングパルスＳＰ１，ＳＰ３，……として奇数段目の逆相パルス生成回路１３３−１，１３３−２，……に供給し、奇数段目のクロック抜き取り回路１３２−１，１３２−３，……は、シフトレジスタ１３１から順に出力される偶数番目の転送パルスＨ２，Ｈ４，……に同期して、単相のクロックパルスＤＣＫ１を抜き取ってサンプリングパルスＳＰ２，ＳＰ４，……として偶数段目の逆相パルス生成回路１３３−２，１３３−４，……に供給する。
【００３２】
逆相パルス生成回路１３３−１〜１３３−ｎは、図５に示した逆相パルス生成回路１０３と同様に、インバータの組み合わせによって構成されており、単相のサンプリングパルスＳＰ１〜ＳＰｎから、互いに逆相の２相のサンプリングパルスＳＰ１，ＳＰ１Ｘ〜ＳＰｎ，ＳＰｎＸを生成する。位相調整回路１３４−１〜１３４−ｎは、図５に示した位相調整回路１０４と同様に、インバータの組み合わせによって構成されており、逆相パルス生成回路１３３−１〜１３３−ｎで生成された２相のサンプリングパルスＳＰ１，ＳＰ１Ｘ〜ＳＰｎ，ＳＰｎＸ相互の位相が完全に逆相になるように、サンプリングパルスＳＰ１，ＳＰ１Ｘ〜ＳＰｎ，ＳＰｎＸの位相調整を行う。
【００３３】
サンプリングスイッチ１３５−１〜１３５−ｎは、例えばＮｃｈトランジスタとＰｃｈトランジスタとが並列接続されてなるＣＭＯＳアナログスイッチであり、映像信号Ｖｓｉｇを入力する映像ライン１９に各一端側が共通に接続され、各他端側が画素アレイ部１１の信号ライン１６−１〜１６−ｎの各一端にそれぞれ接続されている。これらサンプリングスイッチ１３５−１〜１３５−ｎは、互いに逆相のサンプリングパルスＳＰ１，ＳＰ１Ｘ〜ＳＰｎ，ＳＰｎＸに応答してオン（閉）状態になり、映像ライン１９を通して入力される映像信号Ｖｓｉｇを順次サンプリングすることにより、当該映像信号Ｖｓｉｇを信号ライン１６−１〜１６−ｎに書き込む。すなわち、垂直駆動回路１２Ａ，１２Ｂによって選択された画素行の各画素２０に対して、画素単位で映像信号Ｖｓｉｇを書き込む点順次駆動を実現できる。
【００３４】
図３は、水平スタートパルスＨＳＴ、水平クロックパルスＨＣＫ，ＨＣＫＸ、２系統のクロックパルスＤＣＫ１，ＤＣＫ１ＸおよびＤＣＫ２，ＤＣＫ２Ｘ、転送パルスＨ１〜Ｈ４ならびにサンプリングパルスＳＰ１，ＳＰ１Ｘ〜ＳＰ４，ＳＰ４Ｘのタイミング関係を示すタイミングチャートである。このタイミングチャートから明らかなように、水平クロックパルスＨＣＫ，ＨＣＫＸに同期しかつ転送パルスＨ１〜Ｈ４よりもパルス幅が狭いクロックパルスＤＣＫ１，ＤＣＫ１ＸおよびＤＣＫ２，ＤＣＫ２Ｘを、シフトレジスタ１３１から順に出力される転送パルスＨ１〜Ｈ４に同期して抜き取ってサンプリングパルスＳＰ１，ＳＰ１Ｘ〜ＳＰ４，ＳＰ４Ｘとして順次出力することにより、サンプリングパルスＳＰ１，ＳＰ１Ｘ〜ＳＰ４，ＳＰ４Ｘは相互にパルス波形がオーバーラップしない（ノンオーバーラップ）波形となる。
【００３５】
プリチャージ回路１４は、水平走査を行うシフトレジスタや、当該シフトレジスタから順に出力されるプリチャージパルスに応答して動作するプリチャージスイッチ等によって構成されており、垂直駆動回路１２Ａ，１２Ｂによって選択された画素行の各画素２０に対して、水平駆動回路１３による駆動によって画素単位で映像信号Ｖｓｉｇを書き込むのに先立って、所定レベルのプリチャージ信号Ｐｓｉｇを書き込む。
【００３６】
なお、ここでは、理解を容易にするために、映像信号Ｖｓｉｇを画素単位でサンプリングする方式に適用した場合を例に挙げて説明したが、高精細化に伴って水平方向の画素数が増えた際、限られた水平有効期間内で全画素に対して映像信号Ｖｓｉｇをサンプリングするためのサンプリング期間を十分に確保するために、映像信号ＶｓｉｇをＮ系統（Ｎは２以上の整数）で並列に入力する一方、水平方向のＮ個の画素（ドット）を単位としてＮ個のサンプリングスイッチを組とし、１つのサンプリングパルスでＮ個のサンプリングスイッチを同時に駆動することによってＮ画素単位（ユニット（相）単位）で順次書き込みを行うＮドット（例えば、１２ドット、２４ドット、あるいは４８ドット等）同時サンプリング駆動方式のアクティブマトリクス型液晶表示装置にも同様に適用可能である。このＮドット同時サンプリング駆動方式も、映像信号Ｖｓｉｇやプリチャージ信号Ｐｓｉｇの書き込みを画素単位で行う点順次駆動方式の概念に含まれるものとする。
【００３７】
上記構成の点順次駆動方式（Ｎドット同時サンプリング駆動方式を含む）のアクティブマトリクス型液晶表示装置において、本実施形態では、図４に示すように、走査ライン１５−１〜１５−ｍおよびコモンライン１７−１〜１７−ｍに交差して補助ライン、好ましくは画素アレイ部１１を挟んで当該画素アレイ部１１の左右両側に補助ライン４１，４２を配線し、これら補助ライン４１，４２にはパッド４３，４４を通して液晶パネル１７の外部に設けられた駆動回路４５から、信号ライン１６−１〜１６−ｎに映像信号Ｖｓｉｇを書き込む際に、その書き込みタイミングと同じタイミングで補正信号Ｖｃを書き込むことを特徴としている。
【００３８】
ここで、外部の駆動回路４５の機能について説明する。駆動回路４５は、液晶パネル１７に与えられるクロックパルスｄｃｋ１（ｄｃｋ１ｘ），ｄｃｋ２（ｄｃｋ２ｘ）に同期して上記補正信号Ｖｃの生成を行う。クロックパルスｄｃｋ１（ｄｃｋ１ｘ），ｄｃｋ２（ｄｃｋ２ｘ）は、先述したように、最終的に信号ライン１６−１〜１６−ｎへの映像信号Ｖｓｉｇの書き込みタイミングを決めるパルス、即ちサンプリングパルスＳＰ１（ＳＰ１Ｘ）〜ＳＰｎ（ＳＰｎＸ）となる。その結果、駆動回路４５において、クロックパルスｄｃｋ１，ｄｃｋ２に同期して補正信号Ｖｃを生成することで、当該補正信号Ｖｃは映像信号Ｖｓｉｇの書き込みタイミングと同じタイミングで補助ライン４１，４２に入力されることになる。
【００３９】
駆動回路４５はさらに、信号ライン１６−１〜１６−ｎに書き込む映像信号Ｖｓｉｇと逆極性で同電位の信号を補正信号Ｖｃとして出力する。ここで、本実施形態では、特に黒のウィンドウを表示する際のウィンドウ帯の発生を抑制するために、映像信号Ｖｓｉｇとしてブラック電位（黒レベル信号）を信号ライン１６−１〜１６−ｎに書き込むときに当該ブラック電位と逆極性でかつ同電位の補正信号Ｖｃを駆動回路４５から出力するものとする（図５を参照）。
【００４０】
また、本実施形態に係る液晶表示装置では、１Ｈ反転駆動法を採用していることから、信号ライン１６−１〜１６−ｎに書き込むブラック電位の極性が、コモン電圧Ｖｃｏｍを基準にして１Ｈ（１ライン）ごとに反転する。したがって、駆動回路４５から出力される補正信号Ｖｃ（ブラック電位）の極性についても、信号ライン１６−１〜１６−ｎに書き込むブラック電位の極性と常に逆極性でかつコモン電圧Ｖｃｏｍを基準にして１Ｈごとに反転することになる。
【００４１】
次に、上述したように、走査ライン１５−１〜１５−ｍおよびコモンライン１７−１〜１７−ｍに交差して補助ライン４１，４２を配線し、信号ライン１６−１〜１６−ｎにブラック電位を書き込む際に、当該ブラック電位と逆極性でかつ同電位の補正信号Ｖｃを、ブラック電位の書き込みタイミングと同じタイミングで補助ライン４１，４２に書き込むことによる作用効果について説明する。
【００４２】
点順次駆動方式（Ｎドット同時サンプリング駆動方式を含む）のアクティブマトリクス型液晶表示装置において、信号ライン１６−１〜１６−ｎと、走査ライン１５−１〜１５−ｍおよびコモンライン１７−１〜１７−ｍとは交差しており、この交差部分に寄生容量によるカップリングパスが存在する。これにより、１Ｈ反転駆動方式を採った場合に、例えば黒のウィンドウを表示するために、信号ライン１６−１〜１６−ｎにブラック電位を書き込んだ際に、当該ブラック電位がそれぞれのカップリングパスを通って走査ライン１５−１〜１５−ｍおよびコモンライン１７−１〜１７−ｍに飛び込むことによって走査ライン１５−１〜１５−ｍおよびコモンライン１７−１〜１７−ｍの電位が揺れ、これに起因してウィンドウ帯が発生する。
【００４３】
これに対して、本実施形態では、走査ライン１５−１〜１５−ｍおよびコモンライン１７−１〜１７−ｍに交差して補助ライン４１，４２を配線することで、補助ライン４１，４２−走査ライン１５−１〜１５−ｍ間、補助ライン４１，４２−コモンライン１７−１〜１７−ｍ間にも寄生容量によるカップリングパスが存在することになる。そして、信号ライン１６−１〜１６−ｎにブラック電位を書き込む際に、当該ブラック電位と逆極性でかつ同電位の補正信号Ｖｃを、ブラック電位の書き込みタイミングと同じタイミングで補助ライン４１，４２に書き込むことで、補助ライン４１，４２−走査ライン１５−１〜１５−ｍ間、補助ライン４１，４２−コモンライン１７−１〜１７−ｍ間のカップリングパスを通って補正信号Ｖｃの電位が走査ライン１５−１〜１５−ｍおよびコモンライン１７−１〜１７−ｍに飛び込む。
【００４４】
ここで、補正信号Ｖｃの電位は映像信号Ｖｓｉｇ、即ちブラック電位と逆極性でかつ同電位であるため、ブラック電位に基づく走査ライン１５−１〜１５−ｍおよびコモンライン１７−１〜１７−ｍの電位の揺れと、補正信号Ｖｃの電位に基づく走査ライン１５−１〜１５−ｍおよびコモンライン１７−１〜１７−ｍの電位の揺れとが相殺される。したがって、走査ライン１５−１〜１５−ｍおよびコモンライン１７−１〜１７−ｍの電位の揺れに起因するウィンドウ帯が発生することはない。すなわち、補正信号Ｖｃは、走査ライン１５−１〜１５−ｍおよびコモンライン１７−１〜１７−ｍの電位の揺れを相殺する信号として機能することになる。
【００４５】
なお、上記実施形態では、補助ライン４１，４２を画素アレイ部１１を挟んで、当該画素アレイ部１１の左右側に配線するとしたが、これは補正信号Ｖｃを画素アレイ部１１の両側から入力することで、走査ライン１５−１〜１５−ｍおよびコモンライン１７−１〜１７−ｍの電位の揺れをパネル全体に亘って均一に相殺できるようにするためであり、当該電位の揺れをパネル全体に亘って均一に相殺できるのであれば、画素アレイ部１１の片側にのみ補助ラインを配線し、補正信号Ｖｃを画素アレイ部１１の片側から入力するように構成することも可能である。
【００４６】
また、上記実施形態では、映像信号Ｖｓｉｇとしてブラック電位を書き込む際のウィンドウ帯を除去する場合を例に挙げて説明したが、これに限られるものではなく、通常の映像信号Ｖｓｉｇを書き込む際にも、当該映像信号Ｖｓｉｇと逆極性でかつ同電位の補正信号Ｖｃを補助ライン４１，４２に書き込むことで、映像信号Ｖｓｉｇの書き込みに伴う走査ライン１５−１〜１５−ｍおよびコモンライン１７−１〜１７−ｍの電位の揺れを相殺できるため、当該電位の揺れに起因する画質不良を解消することができる。
【００４７】
さらに、補正信号Ｖｃの電位については、映像信号Ｖｓｉｇを書き込んだときの走査ライン１５−１〜１５−ｍおよびコモンライン１７−１〜１７−ｍの電位の揺れ幅と、補正信号Ｖｃを書き込んだときの走査ライン１５−１〜１５−ｍおよびコモンライン１７−１〜１７−ｍの電位の揺れ幅とが同じになるように、シミュレーション結果等を用いて決めるのが好ましい。また、映像信号Ｖｓｉｇを画素アレイ部１１の水平方向の中央部に書き込む際と外側部に書き込む際とで、補正信号Ｖｃの電位を変えることにより、パネル内部のカップリング量の違いに対処できる。
【００４８】
また、上記実施形態では、画素の電気光学素子として液晶セルを用いた液晶表示装置に適用した場合を例に挙げて説明したが、本発明はこの適用例に限られるものではなく、画素の電気光学素子として有機ＥＬ(electro luminescence) 素子を用いた有機ＥＬ表示装置など、電気光学素子を含む画素が行列状に２次元配置されてなる表示装置全般に適用可能である。
【産業上の利用可能性】
【００４９】
本実施形態に係る点順次駆動方式のアクティブマトリクス型液晶表示装置は、一般的な映像表示装置として用いることができる他、例えば、投射型液晶表示装置（液晶プロジェクタ装置）において、液晶ライトバルブとして用いることができる。
【図面の簡単な説明】
【００５０】
【図１】本発明の一実施形態に係る点順次駆動方式アクティブマトリクス型液晶表示装置の構成の概略を示すブロック図である。
【図２】画素の回路構成の一例を示す回路図である。
【図３】水平スタートパルスＨＳＴ、水平クロックパルスＨＣＫ，ＨＣＫＸ、２系統のクロックパルスＤＣＫ１，ＤＣＫ１ＸおよびＤＣＫ２，ＤＣＫ２Ｘ、転送パルスＨ１〜Ｈ４ならびにサンプリングパルスＳＰ１，ＳＰ１Ｘ〜ＳＰ４，ＳＰ４Ｘのタイミング関係を示すタイミングチャートである。
【図４】補助ラインおよび補正信号の供給系の構成例を示す図である。
【図５】映像信号Ｖｓｉｇおよび補正信号Ｖｃの関係を示す波形図である。
【図６】ウィンドウ帯を示す図である。
【図７】ウィンドウ帯の発生メカズムの説明に供するタイミングチャートである。
【図８】ドット反転駆動法の画素信号電位を示す図である。
【図９】１Ｈ反転駆動法の画素信号電位を示す図である。
【符号の説明】
【００５１】
１１…画素アレイ部、１２Ａ，１２Ｂ…垂直駆動回路、１３…水平駆動回路、１４…プリチャージ回路、１５，１５−１〜１５−ｍ…走査ライン、１６，１６−１〜１６−ｎ…信号ライン、１７…液晶パネル、１９…映像ライン、２０…画素（画素回路）、２１…ＴＦＴ（薄膜トランジスタ）、２２…液晶セル、２３…保持容量、３１，３４，３６…レベルシフト回路、３２…逆相パルス生成回路、４１，４２…補助ライン、４５…駆動回路、１３１…シフトレジスタ、１３２−１〜１３２−ｎ…クロック抜き取り回路、１３３−１〜１３３−ｎ…逆相パルス生成回路、１３４−１〜１３４−ｎ…位相調整回路、１３５−１〜１３５−ｎ…サンプリングスイッチ
【図１】
2005215249.tif 000003
【図２】
2005215249.tif 000004
【図３】
2005215249.tif 000005
【図４】
2005215249.tif 000006
【図５】
2005215249.tif 000007
【図６】
2005215249.tif 000008
【図７】
2005215249.tif 000009
【図８】
2005215249.tif 000010
【図９】
2005215249.tif 000011